(57)【特許請求の範囲】
【請求項１】
ケース内に設けられた一対のリールの回転によって該ケース内で走行され、該ケース内に設けられたヘッドに接触しながら該ヘッドによって情報の書き込み及び読み取りの少なくとも一方が行われる記録テープと、
前記ヘッドを、前記記録テープ接触する使用位置と、該使用位置から離れたクリーニング位置との間で駆動する駆動機構と、
前記ケース内に設けられ、前記クリーニング位置に位置する前記ヘッドを、前記使用位置からクリーニング位置への移動方向とは異なる方向に擦りながらクリーニングするクリーニング装置と、
を備えた情報記録システム。
【請求項２】
前記クリーニング装置は、前記使用位置に位置する前記ヘッドに対する前記記録テープの幅方向の一方側に配置されており、前記ヘッドを前記記録テープの走行方向に沿った方向に擦りながら該ヘッドをクリーニングする構成とされている請求項１記載の情報記録システム。
【請求項３】
前記ヘッドが前記使用位置とクリーニング位置との間で駆動される際に、該ヘッドと前記記録テープとを該記録テープの厚み方向に離隔させる離隔機構をさらに備えた請求項１又は請求項２記載の情報記録システム。
【請求項４】
前記ヘッドによる前記記録テープの情報の書き込み及び読み取りの少なくとも一方が行われる場合を除いて、該ヘッドを前記クリーニング位置に保持する保持手段をさらに備えた請求項１〜請求項３の何れか１項記載の情報記録システム。
【請求項５】
前記クリーニング装置は、クリーニング部材と、前記クリーニング部材が前記ヘッドに接触した状態で該クリーニング部材を前記記録テープの走行経路に沿って移動させる駆動手段とを含んで構成されており、
前記クリーニング部材は、前記駆動手段に対し着脱可能とされることで、前記ケースの外部から交換可能とされている請求項１〜請求項４の何れか１項記載の情報記録システム。
【請求項６】
前記クリーニング部材は、クリーニングテープと、前記クリーニングテープを巻き取り繰り出しする一対の巻き軸と、前記一対の巻き軸を保持する保持部材とを含んで構成されており、
前記クリーニング装置は、前記ケースに設けられ一方の巻き軸を駆動する前記駆動手段と、他方の巻き軸を回転可能に支持する支軸とを含んで構成されている請求項５記載の情報記録システム。
【請求項７】
前記クリーニング部材は、クリーニングテープと、前記クリーニングテープを巻き取り繰り出しする巻き軸と、前記クリーニングテープの先端に設けられたリーダ部材と、前記巻き軸及びリーダ部材を保持する保持部材とを含んで構成されており、
前記クリーニング装置は、前記ケースに設けられ前記巻き軸を回転可能に支持する支軸と、前記リーダ部材が装着された駆動軸を回転させる前記駆動手段とを含んで構成されている請求項５記載の情報記録システム。
【請求項８】
共通の記録テープが巻き取り繰り出し可能に連結された一対のリールと、
情報記録システムに設けられ前記記録テープに対し情報の書き込み及び読み取りの少なくとも一方を行うヘッドを、該ヘッドに接触しつつクリーニングするクリーニング部材と、
前記一対のリール及び前記クリーニング部材を、それぞれの受け渡し位置で前記情報記録システムに受け渡されるように保持する上カートリッジと、
前記上カートリッジに対し着脱可能とされ、該上カートリッジとの間に前記一対のリール及び前記クリーニング部材を収容する下カートリッジと、
を備えたマガジン。
【発明の詳細な説明】
【技術分野】
【０００１】
本発明は、ケース内で一対のリールに記録テープが巻き回された情報記録システム、及びこの情報記録システムを製造する際に用いるマガジンに関する。
【背景技術】
【０００２】
記録・再生時にテープと摺接するようにテープの通過位置に配設された固定ヘッドを、クリーニング時に所定位置に回転移動させ、この所定位置でクリーニングパッドと摺接させる技術が知られている。
【先行技術文献】
【特許文献】
【０００３】
【特許文献１】特開平６−１９５６５０号公報
【発明の概要】
【発明が解決しようとする課題】
【０００４】
上記の技術では、ヘッドが回転運動に伴ってクリーニングパッドと摺接されるため、クリーニングストロークが短いなどの制約が生じる。
【０００５】
本発明は、ケース内に設けられた一対のリール間で記録テープを走行させる構成において、ヘッドを良好にクリーニングすることができる情報記録システム、及びこの情報記録システムを製造する際に用いるマガジンに関する。
【課題を解決するための手段】
【０００６】
請求項１記載の発明に係る情報記録システムは、ケース内に設けられた一対のリールの回転によって該ケース内で走行され、該ケース内に設けられたヘッドに接触しながら該ヘッドによって情報の書き込み及び読み取りの少なくとも一方が行われる記録テープと、前記ヘッドを、前記記録テープ接触する使用位置と、該使用位置から離れたクリーニング位置との間で駆動する駆動機構と、前記ケース内に設けられ、前記クリーニング位置に位置する前記ヘッドを、前記使用位置からクリーニング位置への移動方向とは異なる方向に擦りながらクリーニングするクリーニング装置と、を備えている。
【０００７】
請求項１記載の情報記録システムでは、記録テープに対する情報の書き込み又は読み取りの際には、一対のリールの回転によって記録テープが走行される。ヘッドは、使用位置に位置して走行する記録テープに接触しつつ、該記録テープに対する情報の書き込み又は記録テープに書き込まれている情報の読み込みを行う。ヘッドをクリーニングする際には、駆動機構によって使用位置からクリーニング位置に移動されるか、又はクリーニング位置に位置する状態が維持される。クリーニング位置でヘッドは、使用位置とクリーニング位置との間の移動方向とは異なる方向に擦られながら、クリーニング装置にてクリーニングされる。
【０００８】
本情報記録システムでは、クリーニング装置がケース内に配置されているため、該ケース内に一対のリール、ヘッドが設けられた構成において、ヘッドをクリーニングすることができる。そして、ヘッドの移動方向とクリーニング方向とが異なるため、換言すれば、ヘッドの移動動作に対しクリーニング動作が独立しているため、ヘッドのクリーニングの範囲やストロークなどが、該ヘッドの使用位置とクリーニング位置との間の移動（範囲やストローク）によって制約を受けることがない。
【０００９】
このように、請求項１記載の情報記録システムでは、ケース内に設けられた一対のリール間で記録テープを走行させる構成において、ヘッドを良好にクリーニングすることができる。
【００１０】
請求項２記載の発明に係る情報記録システムは、請求項１記載の情報記録システムにおいて、前記クリーニング装置は、前記使用位置に位置する前記ヘッドに対する前記記録テープの幅方向の一方側に配置されており、前記ヘッドを前記記録テープの走行方向に沿った方向に擦りながら該ヘッドをクリーニングする構成とされている。
【００１１】
請求項２記載の情報記録システムでは、ヘッドは、記録テープの幅方向に沿って移動する動作を含む動作によって、使用位置とクリーニング位置とに切り換えられる。クリーニング位置に位置するヘッドは、クリーニング装置によって記録テープの走行方向に沿った方向に擦られながら、クリーニングされる。すなわち、クリーニング装置によるクリーニング方向が記録テープの走行方向と交差する方向ではないので、ヘッドのクリーニングの範囲やストローク等が、記録テープの走行経路によって制約を受けることがない。換言すれば、ケース内の限られた空間で、ヘッドのクリーニングの範囲やストロークが確保され、装置のコンパクト化に寄与する。
【００１２】
請求項３記載の発明に係る情報記録システムは、請求項１又は請求項２記載の情報記録システムにおいて、前記ヘッドが前記使用位置とクリーニング位置との間で駆動される際に、該ヘッドと前記記録テープとを該記録テープの厚み方向に離隔させる離隔機構をさらに備えている。
【００１３】
請求項３記載の情報記録システムでは、ヘッドが駆動機構により移動される際には、離隔機構によりヘッドと記録テープとが該記録テープの厚み方向に離隔される。これにより、移動するヘッドに対し記録テープが保護される。
【００１４】
請求項４記載の発明に係る情報記録システムは、請求項１〜請求項３の何れか１項記載の情報記録システムにおいて、前記ヘッドによる前記記録テープの情報の書き込み及び読み取りの少なくとも一方が行われる場合を除いて、該ヘッドを前記クリーニング位置に保持する保持手段をさらに備えている。
【００１５】
請求項４記載の情報記録システムでは、記録テープに対する情報の書き込み、読み取りの際を除いて走行する記録テープにヘッドが接触することがない。このため、記録テープの擦れによるヘッドの汚れが抑制され、クリーニング回数の減少に寄与する。保持手段は、駆動機構が兼ねる構成としても良い。
【００１６】
請求項５記載の発明に係る情報記録システムは、請求項１〜請求項４の何れか１項記載の情報記録システムにおいて、前記クリーニング装置は、クリーニング部材と、前記クリーニング部材が前記ヘッドに接触した状態で該クリーニング部材を前記記録テープの走行経路に沿って移動させる駆動手段とを含んで構成されており、前記クリーニング部材は、前記駆動手段に対し着脱可能とされることで、前記ケースの外部から交換可能とされている。
【００１７】
請求項５記載の情報記録システムでは、クリーニング装置を構成するクリーニング部材は、クリーニング装置におけるケース側の要素である駆動手段に対し着脱可能とされている。そして、クリーニング部材がヘッドのクリーニングより消耗された場合には、新規のクリーニング部材に取り替えることができる。
【００１８】
請求項６記載の発明に係る情報記録システムは、請求項５記載の情報記録システムにおいて、前記クリーニング部材は、クリーニングテープと、前記クリーニングテープを巻き取り繰り出しする一対の巻き軸と、前記一対の巻き軸を保持する保持部材とを含んで構成されており、前記クリーニング装置は、前記ケースに設けられ一方の巻き軸を駆動する前記駆動手段と、他方の巻き軸を回転可能に支持する支軸とを含んで構成されている。
【００１９】
請求項６記載の情報記録システムでは、消耗されたクリーニング部材の除去後に、新規のクリーニング部材を、一対の巻き軸の一方が駆動手段に連結させると共に他方の巻き軸が支軸に連結させて、ケース（情報記録システム）に装着する。これにより、クリーニング部材の交換が果たされる。
【００２０】
請求項７記載の発明に係る情報記録システムは、請求項５記載の情報記録システムにおいて、前記クリーニング部材は、クリーニングテープと、前記クリーニングテープを巻き取り繰り出しする巻き軸と、前記クリーニングテープの先端に設けられたリーダ部材と、前記巻き軸及びリーダ部材を保持する保持部材とを含んで構成されており、前記クリーニング装置は、前記ケースに設けられ前記巻き軸を回転可能に支持する支軸と、前記リーダ部材が装着された駆動軸を回転させる前記駆動手段とを含んで構成されている。
【００２１】
請求項７記載の情報記録システムでは、消耗されたクリーニング部材の除去後に、新規のクリーニング部材を、巻き軸が支持に連結させた後、リーダ部材を駆動軸に装着する。これにより、クリーニング部材はケース（情報記録システム）に装着され、交換が果たされる。
【００２２】
請求項８記載の発明に係るマガジンは、共通の記録テープが巻き取り繰り出し可能に連結された一対のリールと、前記情報記録システムに設けられ前記記録テープに対し情報の書き込み及び読み取りの少なくとも一方を行うヘッドを、該ヘッドに接触しつつクリーニングするクリーニング部材と、前記一対のリール及び前記クリーニング部材を、それぞれの受け渡し位置で前記情報記録システムに受け渡されるように保持する上カートリッジと、前記上カートリッジに対し着脱可能とされ、該上カートリッジとの間に前記一対のリール及び前記クリーニング部材を収容する下カートリッジと、を備えている。
【００２３】
請求項８記載のマガジンは、一対のリールを情報記録システムのケースに組み込む際に使用される。具体的には、マガジンの下カートリッジを上カートリッジから取り外し、上カートリッジを情報記録システムの受け部にセットすると、一対のリール及びクリーニング部材が情報記録システムの受け部に対しそれぞれの受け渡し位置に位置決めされる。この状態で、一対のリール及びクリーニング部材を情報記録システムに受け渡し、上カートリッジへの保持状態を解除する。これにより、一対のリール及びクリーニング部材を容易に情報システムの受け部に組み付けることができる。すなわち、情報記録システムの製造が簡素化される。
【発明の効果】
【００２４】
以上説明したように本発明に係る情報記録システムは、ケース内に設けられた一対のリール間で記録テープを走行させる構成において、ヘッドを良好にクリーニングすることができるという優れた効果を有する。
【図面の簡単な説明】
【００２５】
【図１】本発明の実施形態に係る情報記録システムの概略全体構成を示す斜視図である。
【図２】本発明の実施形態に係る情報記録システムにおいて、クリーニングテープアセンブリが取り外された状態を示す斜視図である。
【図３】本発明の実施形態に係る情報記録システム内の一部を模式的に示す断面図である。
【図４】本発明の実施形態に係る情報記録システムを構成するテープ離隔機構の動作を説明する図であって、（Ａ）は記録テープを読み書き許容位置に位置させる状態を模式的に示す平面図、（Ｂ）は記録テープを離隔許容位置に位置させる状態を模式的に示す平面図である。
【図５】本発明の実施形態に係る情報記録システムを構成する磁気ヘッドが使用位置に位置する状態を示す斜視図である。
【図６】本発明の実施形態に係る情報記録システムを構成する磁気ヘッドがクリーニング位置に位置する状態を示す斜視図である。
【図７】本発明の実施形態に係る情報記録システムを構成する磁気ヘッドのヘッド駆動装置による保持位置を示す図であって、（Ａ）は使用位置に保持された状態を模式的に示す側面図、（Ｂ）クリーニング位置に保持された状態を模式的に示す側面図である。
【図８】本発明の実施形態に係る情報記録システムを構成するクリーニングテープアセンブリ及び挿入孔を模式的に示す平面図である。
【図９】本発明の実施形態に係る情報記録システムを製造する際に用いるマガジンを示す図であって、（Ａ）はマガジンが機構部への組み付け位置に運搬されてきた状態を模式的に示す断面図、（Ｂ）はマガジンを用いてリール、クリーニングテープアセンブリを機構部に組み付ける工程を模式的に示す断面図である。
【図１０】本発明の実施形態に係る情報記録システムを構成する変形例に係るクリーニングテープアセンブリ及び挿入孔を模式的に示す平面図である。
【発明を実施するための形態】
【００２６】
本発明の実施形態に係る情報記録システム１０について、図１〜図９に基づいて説明する。なお、説明の便宜上、図２における矢印ＵＰを上方向、矢印ＤＮを下方向とする。
【００２７】
（情報記録システムの概略全体構成）
図１に示される如く、情報記録システム１０は、ケース１２と、ケース１２に内に収容された一対のリール１４、１６とを備えている。ケース１２には、リール１４、１６をユーザ等が出し入れするための開口部が形成されておらず、リール１４、１６は、情報の記録又は再生時、保管時を含む常時、ケース１２内で収容されている。
【００２８】
リール１４には、情報記録再生媒体としての磁気テープ等の記録テープＴが繰り出し可能に巻き回されており、リール１６には、記録テープＴの端部が巻き取り可能に接続されている。情報記録システム１０では、上下方向に沿った回転軸周りに回転するリール１４から繰り出された記録テープＴが上下方向に沿った回転軸周りに回転するリール１６によって巻き取られ、またリール１６からリール１４に記録テープＴが巻き戻されるようになっている。すなわち、リール１４は、記録テープＴの繰り出し用リールとされ、リール１６は、記録テープＴの巻き取り用のリールとされ、これらは記録テープＴの巻き方向が逆向きとされている。
【００２９】
図３に示される如く、リール１４、１６は、ケース１２内に設けられた回転部材１４Ａ、１６Ａに一体回転するように固定的に結合されている。なお、図３は、情報記録システム１０の一部を模式的に示す断面図である。回転部材１４Ａ、１６Ａは、それぞれの直下に配置された図示しないモータに直結されており、後述する磁気ヘッド２０を通過する記録テープＴの走行速度が略一定となるように同期して回転駆動されるようになっている。
【００３０】
また、図４にも示される如く、ケース１２内には、複数のテープガイド１８が設けられており、該複数のテープガイド１８は、ケース１２内において記録テープＴの走行経路を規定している。ケース１２内における複数のテープガイド１８で規定された記録テープＴの走行経路の中央部（隣り合う２つのテープガイド１８間の部分）には、ヘッドとしての磁気ヘッド２０が設けられている。磁気ヘッド２０は、記録テープＴに対する情報の記録（書き込み）、記録テープＴに記録された情報の再生（読み取り）の少なくとも一方を行う構成とされている。
【００３１】
この実施形態に係る情報記録システム１０では、磁気ヘッド２０は、上記走行経路を走行する記録テープＴと摺接しつつ、該記録テープＴへの情報の記録、該記録テープＴに既得された情報の再生を行い得る構成とされている。以上により、情報記録システム１０は、記録テープＴ（が巻き回されたリール１４、１６）を交換することなく、内蔵した記録テープＴの記録容量の範囲内で、該記録テープＴに対する情報の記録、再生を行う構成とされている。
【００３２】
このようにケース１２に対し記録テープＴの出し入れが行われない情報記録システム１０では、ケース１２内に磁気ヘッド２０をクリーニングするためのクリーニング装置２２が内蔵されている。クリーニング装置２２は、ケース１２内における磁気ヘッド２０による記録テープＴに対する情報の記録、再生が行われる位置（使用位置）とは異なる位置に配置されている。このため、情報記録システム１０は、磁気ヘッド２０を使用位置と、クリーニング装置２２によってクリーニングされる位置（以下、クリーニング位置という）との間で駆動する駆動機構としてのヘッド駆動装置２４を備えている。さらに、情報記録システム１０は、磁気ヘッド２０がヘッド駆動装置２４によって移動される際に記録テープＴを離隔（退避）させる離隔機構としてのテープ離隔機構２６を備えている。以下、これらについて具体的に説明する。
【００３３】
（クリーニング装置の構成）
クリーニング装置２２は、磁気ヘッド２０（記録テープＴの走行経路）に対する該記録テープＴの幅方向の一方側である上側に、図３、５〜７に示される如く、記録テープＴとオーバラップしないように配置されている。クリーニング装置２２は、交換可能なクリーニング部材としてのクリーニングテープアセンブリ２８と、クリーニングテープアセンブリ２８のクリーニングテープ３０を駆動するケース１２側の支持駆動機構３２とを含んで構成されている。
【００３４】
図２及び図８に示される如く、クリーニングテープアセンブリ２８は、一対の巻き軸の一方としての繰り出しロール３４と、一対の巻き軸の一方としての巻き取りロール３６とを有する。繰り出しロール３４にはクリーニングテープ３０が繰り出し可能に巻き回されており、巻き取りロール３６にはクリーニングテープ３０の一端が巻き取り可能に連結されている。
【００３５】
繰り出しロール３４及び巻き取りロール３６は、それぞれの支軸３４Ａ、３６Ａにおいて保持部材としてのホルダ３８に上下方向に沿った回転軸周りに回転可能に支持されている。図示は省略するが、ホルダ３８には、繰り出しロール３４からのクリーニングテープ３０の繰り出し量に依らずクリーニングテープ３０の走行経路が一定となるように、繰り出しロール３４側及び巻き取りロール３６側のそれぞれにテープガイドを設けても良い。また、このようなテープガイドはケース１２側に設けても良い。ケース１２側のテープガイドをテープ離隔機構２６の如き可動構造（後述）とすれば、使用位置とクリーニング位置との間を移動する磁気ヘッド２０に対するクリーニングテープ３０の接触を避ける構成とすることも可能である。
【００３６】
クリーニングテープアセンブリ２８は、ケース１２の上壁１２Ｕに形成された挿入孔４０を通じて少なくとも繰り出しロール３４、巻き取りロール３６、及びクリーニングテープ３０がケース１２内に位置するように組み付けられるようになっている。挿入孔４０は、ケース１２の上壁１２Ｕに設けられたカバー４１にて開閉されるようになっている。挿入孔４０には、該挿入孔４０をカバー４１が開放する状態でホルダ３８裏面への指先や工具等のアクセスを許容する補助孔部４０Ａが連設されている。
【００３７】
図３に示される如く、ケース１２には、装着されたクリーニングテープアセンブリ２８の繰り出しロール３４を上下方向に沿った軸周りに回転自在に支持する支軸４２と、巻き取りロール３６に回転を伝達可能に連結される駆動シャフト４４とが設けられている。支軸４２と駆動シャフト４４とがケース１２側に設けられた支持駆動機構３２の主要部を成している。なお、駆動シャフト４４は、図示しない駆動モータによって回転駆動される構成であり、本実施形態における駆動手段に相当する。
【００３８】
支軸４２は、繰り出しロール３４との上下方向の相対変位によって該繰り出しロール３４に着脱され、駆動シャフト４４は、巻き取りロール３６との上下方向の相対変位によって該巻き取りロール３６に着脱されるようになっている。クリーニングテープアセンブリ２８は、ホルダ３８の上記係止構造による係止状態を解除した状態で、ケース１２の挿入孔４０に対し上下に抜き差しすることで、繰り出しロール３４、巻き取りロール３６が支軸４２、駆動シャフト４４に着脱されるように、挿入孔４０の外縁形状が決められている。なお、繰り出しロール３４、巻き取りロール３６を支軸４２、駆動シャフト４４に案内する案内壁などを設けても良い。
【００３９】
以上により、クリーニング装置２２では、クリーニングテープアセンブリ２８が装着された状態で、駆動シャフト４４が回転駆動されると、クリーニングテープ３０が繰り出しロール３４から繰り出されながら巻き取りロール３６に巻き取られる構成である。すなわち、クリーニングテープ３０は、磁気ヘッド２０の設置部分における記録テープＴの走行方向に沿った方向（矢印Ａ方向）に走行される構成である。磁気ヘッド２０は、クリーニング位置で、矢印Ａ方向に走行するクリーニングテープ３０に擦られることでクリーニングされるようになっている。
【００４０】
（ヘッド駆動装置の構成）
図５及び図６に示される如く、ヘッド駆動装置２４は、磁気ヘッド２０を使用位置とクリーニング位置との間で移動させるようになっている。この実施形態では、クリーニング位置は使用位置の直上とされており、ヘッド駆動装置２４は磁気ヘッド２０を上下方向に往復移動させる構成とされている。ヘッド駆動装置２４は、一例として磁気ヘッド２０における記録テープＴ側と反対側（背面側）に配置されており、磁気ヘッド２０の背面側に設けられた被駆動部２０Ａ（図５参照）を上下に移動させるリニアアクチュエータとして構成されている。
【００４１】
ヘッド駆動装置２４としては、例えば、リニアモータ、ラックアンドピニオンや送りねじ等の直動機構を備えたモータアクチュエータ、流体圧を用いた流体圧シリンダ、ソレノイド等を用いて構成されたものを採用することができる。また、この実施形態では、ヘッド駆動装置２４は、磁気ヘッド２０を使用位置、クリーニング位置で保持する保持手段としても機能する構成とされている。なお、保持手段をヘッド駆動装置２４とは独立して設けた構成としても良い。
【００４２】
そして、クリーニング位置で保持された磁気ヘッド２０は、繰り出しロール３４と巻き取りロール３６との間で、図７（Ａ）に示される如くクリーニングテープ３０に接触されるようになっている。なお、使用位置からクリーニング位置への移動の際に、駆動シャフト４４を僅かに逆回転駆動してクリーニングテープ３０のテンションを緩め（クリーニングテープ３０を弛ませ）、移動中の磁気ヘッド２０とクリーニングテープ３０との接触を避ける構成としてもよい。
【００４３】
（テープ離隔機構の構成）
テープ離隔機構２６は、磁気ヘッド２０がヘッド駆動装置２４によって移動される際には、記録テープＴを、通常位置に対して、その厚み方向のヘッド側とは反対側（矢印Ｂ側）に離隔させる構成とされている。この実施形態では、図４（Ａ）及び図４（Ｂ）に示される如く、テープガイド１８は、磁気ヘッド２０に対するリール１４側、リール１６側に各２個設けられている。
【００４４】
そして、テープ離隔機構２６は、リール１４側のテープガイド１８間及びリール１６側のテープガイド１８間でそれぞれ記録テープＴを矢印Ｂ方向に押す一対の押圧ロール４６を有する。各押圧ロール４６が矢印Ｂ側と反対側に接続されたリニアアクチュエータ４８によって矢印Ｂ方向への移動、及び該移動後の復帰の往復動が可能とされている。これにより、記録テープＴは、テープガイド１８のみに巻き掛けられて磁気ヘッド２０との接触（可能と）される読み書き許容位置（図４（Ａ）参照）と、押圧ロール４６にて矢印Ｂ方向に押圧して磁気ヘッド２０に対し離隔された離隔位置（図４（Ｂ）参照）との間で往復動可能とされている。
【００４５】
リニアアクチュエータ４８としては、例えば、リニアモータ、ラックアンドピニオンや送りねじ等の直動機構を備えたモータアクチュエータ、流体圧を用いた流体圧シリンダ、ソレノイド等を用いて構成されたものを採用することができる。
【００４６】
（マガジンの構成）
以上説明した情報記録システム１０は、記録テープＴ、リール１４、１６、及びクリーニングテープアセンブリ２８を有しない機構部５０に、記録テープＴ、リール１４、１６、及びクリーニングテープアセンブリ２８を組み付けて構成（製造）されるようになっている。この実施形態では、記録テープＴ、リール１４、１６、及びクリーニングテープアセンブリ２８は、機構部５０への組み付け前に、共通のカートリッジ５２に組み付けられてマガジン５４を構成している。以下、具体的に説明する。
【００４７】
図９（Ａ）に示される如く、カートリッジ５２は、上カートリッジ５２Ｕと下カートリッジ５２Ｌとの接合により成る。下カートリッジ５２Ｌは、上カートリッジ５２Ｕに対し着脱可能とされている。
【００４８】
リール１４、１６は、上カートリッジ５２Ｕに対し、回転ハンドル５６を介して回転可能に支持されている。各回転ハンドル５６は、図示しない共通のロック部材にてケース１２に対する回転が規制ロックされている。これにより、カートリッジ５２内での記録テープＴの弛みや過緊張が抑制されている。
【００４９】
また、リール１４、１６は、押さえ部材５８と下カートリッジ５２Ｌの押さえ部５２ＬＡとの間で上下に挟み込まれている。これにより、リール１４、１６の上下のフランジ１４Ｆ、１６Ｆがカートリッジ５２の内面に干渉しない構成とされている。下カートリッジ５２Ｌは、押さえ部材５８を通じて押さえ部５２ＬＡにねじ込まれた押さえねじ６０によって、上カートリッジ５２Ｕに保持されている。図示は省略するが、押さえ部材５８は、下カートリッジ５２Ｌの取り外し状態で、リール１４、１６を上カートリッジ５２Ｕに対し保持（抜け止め）する係合爪を有する。
【００５０】
上カートリッジ５２Ｕには、機構部５０の位置決めピン６２が嵌合して位置決めされる位置決め孔５２ＵＡが形成されている。位置決め孔５２ＵＡにおいて機構部５０に対し位置決めされた上カートリッジ５２Ｕは、保持したリール１４、１６を回転部材１４Ａ、１６Ａに嵌合する受け渡し位置に位置させるように寸法形状が決められている。この受け渡し位置でリール１４、１６は、図３に示される如くビス６４によって回転部材１４Ａ、１６Ａに固定される構成である。
【００５１】
また、上カートリッジ５２Ｕには、クリーニングテープアセンブリ２８を保持するクリーナ保持部６６が形成されている。クリーナ保持部６６は、リール１４、１６に対し、情報記録システム１０内でのリール１４、１６との相対位置と同じ相対位置で、クリーニングテープアセンブリ２８をカートリッジ５２に保持している。この実施形態では、ホルダ３８が貫通可能に上カートリッジ５２Ｕに形成された孔縁における両端側に、一対のスライド係止部材６８が設けられ、該スライド係止部材６８が上カートリッジ５２Ｕに対しクリーニングテープアセンブリ２８を保持している。
【００５２】
クリーナ保持部６６は、上カートリッジ５２Ｕが位置決め孔５２ＵＡにおいて位置決めピン６２により位置決めされた状態で、クリーニングテープアセンブリ２８の繰り出しロール３４、巻き取りロール３６を支軸４２、駆動シャフト４４の直上である受け渡し位置に保持するようになっている。
【００５３】
そして、図９（Ａ）に示す保持状態から一対のスライド係止部材６８を離間させる方向に移動させると、該スライド係止部材６８のホルダ３８に対する係止状態が解除されて、図９（Ｂ）に示される如く、クリーニングテープアセンブリ２８が支持駆動機構３２に装着されるようになっている。一対のスライド係止部材６８は、図示しないばね等の付勢部材によって互いに近接する方向に付勢されており、該付勢により、上記した如く離間操作されるまでは、クリーニングテープアセンブリ２８を保持する状態を維持する構成とされている。
【００５４】
マガジン５４は、カートリッジ５２にリール１４、リール１６、及びクリーニングテープアセンブリ２８が組み込まれて構成されている。
【００５５】
次に、本実施形態の作用を説明する。
【００５６】
上記構成の情報記録システム１０の製造の際には、機構部５０を準備する工程と、図９（Ａ）に示される如きマガジン５４を機構部５０への組み込み位置へ運搬する工程とを経る。この運搬の工程において、記録テープＴを含むリール１４、１６がカートリッジ５２に保持されているため、記録テープＴ、リール１４、１６（フランジ１４Ｆ、１６Ｆ）が保護される。
【００５７】
上記運搬の工程の後、図９（Ｂ）に示される如く、カートリッジ５２の上カートリッジ５２Ｕから下カートリッジ５２Ｌを取り外し、上カートリッジ５２Ｕの位置決め孔５２ＵＡに位置決めピン６２が嵌合（挿入）されるように上カートリッジ５２Ｕを機構部５０上にセットする。すると、リール１４、１６、クリーニングテープアセンブリ２８は、それぞれの受け渡し位置で位置決めされる。
【００５８】
この状態で、押さえ部材５８によるリール１４、１６の保持状態を解除すると共に、ロック部材による各回転ハンドル５６の回転ロックを解除する。次いで、各回転ハンドル５６を回転させてリール１４、１６の回転位相を回転部材１４Ａ、１６Ａの位相に合わせ（ビス６４のビス孔の位置を一致させ）、ビス６４にてリール１４、１６を回転部材１４Ａ、１６Ａに固定する。
【００５９】
また、クリーナ保持部６６においては一対のスライド係止部材６８を互いの離間方向に操作する。すると、ホルダ３８に対するスライド係止部材６８の係止状態が解除され、スライド係止部材６８は支持駆動機構３２に装着される。すなわち、繰り出しロール３４が支軸４２に装着されると共に、巻き取りロール３６が駆動シャフト４４に装着される。
【００６０】
この状態で、ケース１２の上壁１２Ｕを含む上側部材を機構部５０に被せて、情報記録システム１０が製造される。
【００６１】
上記構成の情報記録システム１０では、記録テープＴへの情報の記録、又は記録テープＴからの情報の再生に際には、リール１４、リール１６が同期して回転駆動される。すると、記録テープＴは、テープガイド１８にて規定される走行経路を矢印Ａ方向に走行し、磁気ヘッド２０によって情報が書き込まれ、又は情報が読み取られる。
【００６２】
この情報の書き込み、読み取りによって磁気ヘッド２０は汚れる。この汚れを落とす要求があった場合には、以下の要領で磁気ヘッド２０がクリーニング装置２２によるクリーニングされる。
【００６３】
（ヘッドが使用位置に位置する場合）
記録テープＴに対する情報の書き込み又は読み取りの直後に磁気ヘッド２０をクリーニングするケースについて説明する。なお、このケースは、クリーニングの要領について、通常は磁気ヘッド２０が使用位置に位置する構成における要領と同様である。
【００６４】
磁気ヘッド２０のクリーニング要求があった場合、先ず、リニアアクチュエータ４８が作動され押圧ロール４６によって記録テープＴが読み書き許容位置から離隔位置に移動される。次いで、ヘッド駆動装置２４が作動され、磁気ヘッド２０は使用位置からクリーニング位置へ移動される。この際、記録テープＴが離隔位置に位置するため、記録テープＴは移動する磁気ヘッド２０によって擦られことがなく、ダメージを受けることが防止される。
【００６５】
磁気ヘッド２０がクリーニング位置に至ると、駆動シャフト４４が作動される。すると、クリーニングテープ３０が矢印Ａ方向に走行される。この走行するクリーニングテープ３０が磁気ヘッド２０を擦りながら該磁気ヘッド２０をクリーニングする。
【００６６】
通常は磁気ヘッド２０が使用位置に位置する構成においては、上記したクリーニング動作中、記録テープＴはテープ離隔機構２６にて離隔位置に保持されており、クリーニングの終了後、磁気ヘッド２０はヘッド駆動装置２４にて使用位置に復帰される。また、記録テープＴは、テープ離隔機構２６がリール１４、１６の回転に同期しながら押圧ロール４６を後退させることで、離隔位置から読み書き許容位置まで復帰される。
【００６７】
（ヘッドがクリーニング位置に位置する場合）
【００６８】
記録テープＴへの情報の書き込み、読み取りを行う場合以外は磁気ヘッド２０をクリーニング位置に位置させる構成では、磁気ヘッド２０のクリーニング要求があった場合、駆動シャフト４４が作動される。すると、クリーニングテープ３０が矢印Ａ方向に走行される。この走行するクリーニングテープ３０が磁気ヘッド２０を擦りながら該磁気ヘッド２０をクリーニングする。
【００６９】
この場合には、記録テープＴは、テープ離隔機構２６（押圧ロール４６、リニアアクチュエータ４８）によって、磁気ヘッド２０が使用位置に移動されるまで離隔位置で保持されている。そして、記録テープＴへの情報の書き込み又は読み取り要求があると、ヘッド駆動装置２４は磁気ヘッド２０をクリーニング位置から使用位置に移動させ、テープ離隔機構２６はリール１４、１６の回転に同期しながら押圧ロール４６を後退させて、記録テープＴを離隔位置から読み書き許容位置まで移動させる。記録テープＴへの情報の書き込み又は読み取り後は、記録テープＴがテープ離隔機構２６にて離隔位置に移動された後、磁気ヘッド２０がヘッド駆動装置２４にてクリーニング位置に移動される。
【００７０】
このように記録テープＴへの情報の書き込み、読み取りを行う場合以外は磁気ヘッド２０をクリーニング位置に位置させる構成では、例えば単なる記録テープＴのリール１４、１６間での繰り出し巻き取り、巻き戻しの際等に、記録テープＴと磁気ヘッド２０とが擦れることがない。このため、該記録テープＴと磁気ヘッド２０との擦れに起因して磁気ヘッド２０が汚れることが抑制される。また、磁気ヘッド２０のクリーニング装置２２によるクリーニング回数（クリーニングテープアセンブリ２８の交換頻度）の低減にも寄与する。
【００７１】
（クリーニングテープアセンブリの交換）
磁気ヘッド２０のクリーニングに伴ってクリーニングテープ３０が消耗された（と判断される）場合、クリーニングテープアセンブリ２８を交換する。先ず、カバー４１を操作して挿入孔４０を開放させる。補助孔部４０Ａから指先や工具等をホルダ３８の裏面側に入れて該ホルダ３８を持ち上げる。すると、クリーニングテープアセンブリ２８がケース１２から抜き出される。
【００７２】
次いで、新規の或いは消耗状態から回復されたクリーニングテープアセンブリ２８を挿入孔４０からケース１２内に挿入する。この動作に伴って、繰り出しロール３４には支軸４２が挿入（装着）され、巻き取りロール３６には駆動シャフト４４が装着される。すなわち、クリーニングテープアセンブリ２８が支持駆動機構３２が適正にセットされる。次いで、カバー４１にて挿入孔４０を閉止すれば、クリーニングテープアセンブリ２８の交換が完了する。
【００７３】
ここで、情報記録システム１０では、クリーニング装置２２がケース１２内に配置されているため、該ケース１２内に一対のリール１４、１６、磁気ヘッド２０が外部からのアクセス（出し入れを含む）ができないように設けられた構成において、磁気ヘッド２０をクリーニングすることができる。
【００７４】
そして、ヘッド駆動装置２４による磁気ヘッド２０の移動方向（上下方向）とクリーニングテープ３０によるクリーニング方向（水平方向である矢印Ａ方向）とが異なるため、磁気ヘッド２０の使用位置からクリーニング位置への移動動作に対しクリーニング動作が独立している。このため、磁気ヘッド２０のクリーニングの範囲やストロークなどが、該磁気ヘッド２０の使用位置とクリーニング位置との間の移動（範囲やストローク）によって制約を受けることがない。これにより、この実施形態では、矢印Ａ方向に長尺のクリーニングテープ３０にて長いストロークに亘り磁気ヘッド２０を擦りつつクリーニングすることができる。
【００７５】
このように、情報記録システム１０では、ケース１２内に設けられた一対のリール１４、１６間で記録テープＴを走行させる構成において、磁気ヘッド２０を良好にクリーニングすることができる。
【００７６】
特に、本情報記録システム１０では、クリーニング装置２２が使用位置に位置する磁気ヘッド２０に対する記録テープＴの幅方向の一方側に配置されている。このため、クリーニングテープ３０によるクリーニング方向は、記録テープＴの走行方向に沿った矢印Ａ方向とされている。すなわち、クリーニング装置２２のクリーニングテープ３０の走行方方が記録テープＴの走行方向と交差する方向ことがないので、磁気ヘッド２０のクリーニングの範囲やストロークなどが、記録テープＴの走行経路によって制約を受けることがない。換言すれば、クリーニングテープ３０がクリーニング装置７０の直上近傍で矢印Ａ方向に走行される構成ではない構成と比較して、ケース１２内の限られた空間で、磁気ヘッド２０のクリーニングの範囲やストロークが確保され、装置のコンパクト化に寄与する。
【００７７】
また、本情報記録システム１０では、ヘッド駆動装置２４によって磁気ヘッド２０が移動される際にはテープ離隔機構２６によって記録テープＴが離隔位置に位置される。このため、移動する磁気ヘッド２０に対し記録テープＴが接触することが防止され、該記録テープＴが保護される。
【００７８】
さらに、本情報記録システム１０では、クリーニング装置２２を構成するクリーニングテープアセンブリ２８が交換可能とされている。これにより、磁気ヘッド２０のクリーニングによりクリーニングテープ３０が消耗されたクリーニングテープアセンブリ２８を、新規又はメンテナンス後のクリーニングテープアセンブリ２８に交換して、フレッシュなクリーニングテープ３０にて磁気ヘッド２０を良好にクリーニングすることができる。特に、クリーニングテープ３０が繰り出しロール３４、巻き取りロール３６、ホルダ３８とで、クリーニングテープアセンブリ２８としてアセンブリ化されている。このため、消耗されたクリーニングテープ３０の交換が容易である。
【００７９】
またさらに、情報記録システム１０では、その製造の際にマガジン５４が用いられる。これにより、リール１４、１６の組み付けが容易とされる他、クリーニングテープアセンブリ２８を容易に機構部５０（の支持駆動機構３２）に組み付けることができる。
【００８０】
（クリーニング装置の変形例）
図１０には、変形例に係るクリーニング装置７０が模式的な平面図にて示されている。この図に示される如く、クリーニング装置７０は、クリーニングテープアセンブリ２８に代えてクリーニングテープアセンブリ７２を備え、支持駆動機構３２に代えて支持駆動機構７４を備える。
【００８１】
クリーニングテープアセンブリ７２は、クリーニングテープ３０が巻き回された繰り出しロール３４と、クリーニングテープ３０の先端に設けられたピン上のリーダ部材としてのリーダピン７６と、繰り出しロール３４及びリーダピン７６を保持する保持部材としてのホルダ８０とを有する。ホルダ８０は、支軸３４Ａを介して繰り出しロール３４を回転自在に支持すると共に、リーダピン７６の一端側を嵌合部８０Ａに嵌合させて保持するようになっている。
【００８２】
一方、支持駆動機構７４は、駆動手段としても機能する駆動軸７８と、支軸４２とを有する。駆動軸７８は、リーダピン７６が装着される凹状の装着部７８Ａが形成されており、装着部７８Ａにリーダピン７６が装着されたまま回転することで、クリーニングテープ３０を巻き取るようになっている。
【００８３】
クリーニングテープアセンブリ７２をケース１２（支持駆動機構７４）にセットする際には、先ず挿入孔８２を通じて繰り出しロール３４を支軸４２に装着し、次いで記録テープＴを引き出しながらリーダピン７６を駆動軸７８の装着部７８Ａに装着する。その後、カバー４１にて挿入孔８２を閉止する。そして、磁気ヘッド２０のクリーニング要求があり、磁気ヘッド２０がクリーニング位置に位置する条件が満たされると、駆動軸７８が回転駆動され、クリーニングテープ３０が矢印Ａ方向に走行され、磁気ヘッド２０のクリーニングが果たされる。使用後のクリーニングテープアセンブリ７２の取り出す際には、例えばホルダ８０の嵌合部８０Ａに嵌合されたリーダピン７６を指先や工具で摘んで持ち上げれば良い。
【００８４】
なお、上記した実施形態では、磁気ヘッド２０は上下方向の移動だけで使用位置とクリーニング位置とが切り換えられる例を示したが、本発明はこれに限定されず、例えば、磁気ヘッド２０は、使用位置から上方に移動した後、クリーニングテープ３０の厚み方向（矢印Ｂ方向）に移動することでクリーニング位置に至る構成としても良い。この構成では、繰り出しロール３４からのクリーニングテープ３０の繰り出し量に応じたクリーニングテープ３０の走行経路の変化の影響を受けることなく、クリーニングテープ３０を磁気ヘッド２０に接触させることができる。また、クリーニング位置と使用位置との間の移動に伴うクリーニングテープ３０と磁気ヘッド２０との擦れを防止することができる。
【００８５】
また、上記した実施形態では、クリーニングテープ３０が矢印Ａ方向に移動しつつ磁気ヘッド２０をクリーニングする例を示したが、本発明はこれに限定されず、例えば、矢印Ａ方向及び矢印Ａとは逆方向に往復動しながら磁気ヘッド２０をクリーニングする構成としても良い。
【００８６】
さらに、上記した実施形態では、クリーニング装置２２が磁気ヘッド２０に対する記録テープＴの幅方向の一方側である上側に配置された例を示したが、本発明はこれに限定されず、例えば、クリーニング装置２２が記録テープＴと高さ方向にオーバラップして配置された構成としても良い。すなわち、本発明は、磁気ヘッド２０の使用位置からクリーニング位置への移動と、クリーニング装置２２による磁気ヘッド２０のクリーニング動作とが独立していれば（動作方向が異なれば）良い。
【００８７】
またさらに、上記した実施形態では、クリーニング部材としてのクリーニングテープアセンブリ２８がクリーニングテープ３０を含んで構成された例を示したが、本発明はこれに限定されず、例えば、クリーニング部材がクリーニングパッドを含んで構成されても良い。
【００８８】
また、上記した実施形態では、クリーニング部材としてのクリーニングテープアセンブリ２８、７２が交換可能である例を示したが、本発明はこれに限定されず、例えば、クリーニング装置２２はクリーニング部材が交換可能ではない構成とされても良い。
【符号の説明】
【００８９】
１０      情報記録システム
１２      ケース
１４      リール
１６      リール
２０      磁気ヘッド（ヘッド）
２２      クリーニング装置
２４      ヘッド駆動装置（駆動機構）
２６      テープ離隔機構（離隔機構）
２８      クリーニングテープアセンブリ（クリーニング部材）
３０      クリーニングテープ
３２      支持駆動機構（駆動手段）
３４・３６ロール（巻き軸）
３８      ホルダ（保持部材）
４２      支軸
４４      駆動シャフト（駆動手段）
５２Ｕ    上カートリッジ
５４      マガジン
７０      クリーニング装置
７２      クリーニングテープアセンブリ（クリーニング部材）
７４      支持駆動機構（駆動手段）
７６      リーダピン（リーダ部材）
７８      駆動軸
Ｔ 記録テープ
【図１】
0005377541.tif 000002
【図２】
0005377541.tif 000003
【図３】
0005377541.tif 000004
【図４】
0005377541.tif 000005
【図５】
0005377541.tif 000006
【図６】
0005377541.tif 000007
【図７】
0005377541.tif 000008
【図８】
0005377541.tif 000009
【図９】
0005377541.tif 000010
【図１０】
0005377541.tif 000011